(57)【要約】【課題】映像に乱れを生じることなく表示モードを切り替えることの可能な映像信号処理装置、映像信号生成装置、映像表示装置、および映像信号処理方法を提供する。【解決手段】メモリ１０４，１０５にフィールドの圧縮データを記憶し、その書き込みタイミングと読み出しタイミングとを入力同期信号および出力同期信号に応じて可変することで映像信号の垂直周波数を切り替える信号処理装置において、圧縮フィルタ１０２の圧縮特性の切り替えタイミングと、圧縮データのメモリ１０４，１０５への書き込みタイミングと、メモリ１０４，１０５からの読み出しタイミングとに応じて、伸長フィルタ１０７の伸長特性の切り替えタイミングを適応的に可変設定する。【選択図】    図２
2004357028.tif 000002
【特許請求の範囲】
【請求項１】
入力映像信号を形成する画像要素を切り替え可能な圧縮特性のもとで圧縮する圧縮手段と、
この圧縮手段により圧縮された前記画像要素を記憶するための記憶手段と、
前記圧縮手段により圧縮された前記画像要素を入力同期信号に同期する書き込みタイミングで前記記憶手段に書き込む書き込み手段と、
前記入力同期信号および出力同期信号に基づき前記記憶手段から読み出すべき画像要素を決定する決定手段と、
この決定手段により決定された画像要素を前記出力同期信号に同期する読み出しタイミングで前記記憶手段から読み出す読み出し手段と、
この読み出し手段により前記記憶手段から読み出される画像要素を切り替え可能な伸長特性のもとで伸長して出力映像信号を生成する伸長手段と、
前記出力映像信号の表示モードに応じて前記圧縮特性および伸長特性を切り替える切替手段と、
前記圧縮特性と伸長特性とが前記画像要素ごとに整合すべく、前記切替手段による前記伸長特性の切り替えタイミングを、当該切替手段による前記圧縮特性の切り替えタイミングと、前記書き込みタイミングと、前記読み出しタイミングとに応じて適応的に可変する特性切替制御手段とを具備することを特徴とする映像信号処理装置。
【請求項２】
前記記憶手段は２つの記憶素子を備え、
前記書き込み手段は、時間的に隣接する前記画像要素を前記２つの記憶素子に交互に書き込み、
前記決定手段は、前記２つの記憶素子のいずれかを指定して前記記憶手段から読み出すべき画像要素を決定することを特徴とする請求項１に記載の映像信号処理装置。
【請求項３】
前記記憶手段は共通の記憶素子に設けられる２つの記憶領域であり、
前記書き込み手段は、時間的に隣接する前記画像要素を前記２つの記憶領域に交互に書き込み、
前記決定手段は、前記２つの記憶領域のいずれかを指定して前記記憶手段から読み出すべき画像要素を決定することを特徴とする請求項１に記載の映像信号処理装置。
【請求項４】
表示器に接続して使用され当該表示器に対応する出力映像信号を生成する映像信号生成装置において、
媒体を介して入力映像信号を取得する取得部と、
前記入力映像信号から入力同期信号を分離する分離部と、
前記入力映像信号から前記出力映像信号を生成する信号処理部とを具備し、
この信号処理部は、
前記入力映像信号を形成する画像要素を切り替え可能な圧縮特性のもとで圧縮する圧縮手段と、
この圧縮手段により圧縮された前記画像要素を記憶するための記憶手段と、
前記圧縮手段により圧縮された前記画像要素を前記入力同期信号に同期する書き込みタイミングで前記記憶手段に書き込む書き込み手段と、
前記入力同期信号および出力同期信号に基づき前記記憶手段から読み出すべき画像要素を決定する決定手段と、
この決定手段により決定された画像要素を前記出力同期信号に同期する読み出しタイミングで前記記憶手段から読み出す読み出し手段と、
この読み出し手段により前記記憶手段から読み出される画像要素を切り替え可能な伸長特性のもとで伸長して出力映像信号を生成する伸長手段と、
前記出力映像信号の前記表示器における表示モードに応じて前記圧縮特性および伸長特性を切り替える切替手段と、
前記圧縮特性と伸長特性とが前記画像要素ごとに整合すべく、前記切替手段による前記伸長特性の切り替えタイミングを、当該切替手段による前記圧縮特性の切り替えタイミングと、前記書き込みタイミングと、前記読み出しタイミングとに応じて適応的に可変する特性切替制御手段とを備えることを特徴とする映像信号生成装置。
【請求項５】
さらに、リモート操作端末を介して前記表示モードの切替要求を受け付ける受け付け手段を具備し、
前記切替手段は、前記表示モードの切替要求が与えられることに応じて前記圧縮特性および伸長特性を切り替えることを特徴とする請求項４に記載の映像信号生成装置。
【請求項６】
表示器と、
媒体を介して入力映像信号を取得する取得部と、
前記入力映像信号から入力同期信号を分離する分離部と、
前記入力映像信号を形成する画像要素を切り替え可能な圧縮特性のもとで圧縮する圧縮手段と、
この圧縮手段により圧縮された前記画像要素を記憶するための記憶手段と、
前記圧縮手段により圧縮された前記画像要素を前記入力同期信号に同期する書き込みタイミングで前記記憶手段に書き込む書き込み手段と、
前記入力同期信号および出力同期信号に基づき前記記憶手段から読み出すべき画像要素を決定する決定手段と、
この決定手段により決定された画像要素を前記出力同期信号に同期する読み出しタイミングで前記記憶手段から読み出す読み出し手段と、
この読み出し手段により前記記憶手段から読み出される画像要素を切り替え可能な伸長特性のもとで伸長して、前記表示器に対応する出力映像信号を生成する伸長手段と、
前記出力映像信号の前記表示器における表示モードに応じて前記圧縮特性および伸長特性を切り替える切替手段と、
前記圧縮特性と伸長特性とが前記画像要素ごとに整合すべく、前記切替手段による前記伸長特性の切り替えタイミングを、当該切替手段による前記圧縮特性の切り替えタイミングと、前記書き込みタイミングと、前記読み出しタイミングとに応じて適応的に可変する特性切替制御手段とを備えることを特徴とする映像表示装置。
【請求項７】
さらに、リモート操作端末を介して前記表示モードの切替要求を受け付ける受け付け手段を具備し、
前記切替手段は、前記表示モードの切替要求が与えられることに応じて前記圧縮特性および伸長特性を切り替えることを特徴とする請求項６に記載の映像表示装置。
【請求項８】
入力映像信号を形成する画像要素を切り替え可能な圧縮特性のもとで圧縮する圧縮ステップと、
この圧縮ステップにより圧縮された前記画像要素を入力同期信号に同期する書き込みタイミングで記憶手段に書き込む書き込みステップと、
前記入力同期信号および出力同期信号に基づき前記記憶手段から読み出すべき画像要素を決定する決定ステップと、
この決定ステップにより決定された画像要素を前記出力同期信号に同期する読み出しタイミングで前記記憶手段から読み出す読み出しステップと、
この読み出しステップにより前記記憶手段から読み出される画像要素を切り替え可能な伸長特性のもとで伸長して出力映像信号を生成する伸長ステップと、
前記出力映像信号の表示モードに応じて前記圧縮特性および伸長特性を切り替える切替ステップと、
前記圧縮特性と伸長特性とが前記画像要素ごとに整合すべく、前記切替ステップによる前記伸長特性の切り替えタイミングを、当該切替ステップによる前記圧縮特性の切り替えタイミングと、前記書き込みタイミングと、前記読み出しタイミングとに応じて適応的に可変する特性切替制御ステップとを具備することを特徴とする映像信号処理方法。
【請求項９】
入力映像信号を切り替え可能な第１の特性のもとで処理する第１処理手段と、
この第１処理手段により処理された前記入力映像信号を記憶するための記憶手段と、
前記第１処理手段により処理された前記入力映像信号を入力同期信号に同期する書き込みタイミングで前記記憶手段に書き込む書き込み手段と、
前記入力同期信号および出力同期信号に基づき前記記憶手段から読み出すべき入力映像信号を決定する決定手段と、
この決定手段により決定された入力映像信号を前記出力同期信号に同期する読み出しタイミングで前記記憶手段から読み出す読み出し手段と、
この読み出し手段により前記記憶手段から読み出される入力映像信号を切り替え可能な第２の特性のもとで処理して出力映像信号を生成する第２処理手段と、
前記出力映像信号の表示モードに応じて前記第１および第２の特性を切り替える切替手段と、
前記第１および第２の特性が前記入力映像信号および出力映像信号ごとに整合すべく、前記切替手段による前記第２の特性の切り替えタイミングを、当該切替手段による前記第１の特性の切り替えタイミングと、前記書き込みタイミングと、前記読み出しタイミングとに応じて適応的に可変する特性切替制御手段とを具備することを特徴とする映像信号処理装置。
【発明の詳細な説明】
【０００１】
【発明の属する技術分野】
本発明は、特性の異なる複数の映像信号を取り扱う映像表示装置、映像信号処理装置、映像信号生成装置、および映像信号処理方法に関する。
【０００２】
【従来の技術】
近年、ＮＴＳＣ信号だけでなく、ＨＤＴＶ信号やＶＧＡ，ＳＸＧＡ等のパソコン信号が映像信号のソースとして利用されるようになっており、映像信号は種々多様化している。また、映像信号を表示する表示装置においても、陰極線管を用いたテレビジョン受像機だけでなく、プラズマディスプレイ（ＰＤＰ）や液晶ディスプレイ等のパネルディスプレイも普及してきている。
【０００３】
このような映像信号及びそれを表示する表示装置が多様化している環境においては、入力された映像信号のフォーマット（即ち、垂直周波数）が表示装置のそれと異なる場合がある。この場合には、入力された映像信号の垂直周波数を表示装置の垂直周波数に変換することが必要となる。
【０００４】
下記特許文献１に、フィールドメモリを用いてフィールドまたはフレーム単位で画像を追加または削除することにより映像信号の垂直周波数を変換する手法の一例が開示される。この文献に記載の回路によれば、メモリアクセスの書き込みと読み出しとで追い越しを生じること無く映像信号の垂直周波数を変換することができるようになる。
【０００５】
近年になり普及が進んでいるパネルディスプレイは、表示画素数が固定的である。よって種々の映像信号に対応するためには画像を圧縮または伸長し、画像のサイズを表示パネルのサイズに変換する処理が必須となる。下記特許文献２に、フィールドメモリを使用して画像のサイズを変換する一例が開示される。
【０００６】
ところで、この種の処理において画像の圧縮率や伸長率などの特性は１通りではない。すなわちアスペクト比が４：３の映像を１６：９の画面に表示するモードや、レターボックス形式の画像の無画像部を取り除いて表示するモードなどのように、近年の映像表示装置は種々の表示モードを有する。これらのモードは映像の表示中に切り替えられることが有り、これに応じて圧縮や伸長処理の特性を切り替える必要がある。
【０００７】
ここで問題となるのは、フィールドメモリに書き込まれるフィールドに対する特性と、フィールドメモリから読み出されるフィールドに対する特性とが、モード切替の前後において一致しない場合が有ることである。すなわち既存の装置ではモード切替が指示された場合、その直後のフィールド区切り位置において、圧縮または伸長処理の特性がいわば盲目的に切り替えられる。しかしながら垂直周波数の変換処理においてはフィールドの重複または間引きといった処理が生じるので、本来適用すべきはずの圧縮／伸長特性で処理されないフィールドを生じることがある。これは、表示される映像の乱れとなって顕れることから非常に好ましくない。
【０００８】
【特許文献１】
特開２００１−９８９９２号公報（段落番号［００２６］、図１）
【０００９】
【特許文献２】
特開平１０−２９０３６１号公報（段落番号［０００７］〜［０００８］、図１）
【００１０】
【発明が解決しようとする課題】
以上述べたように既存の映像信号処理回路には、表示モード切替の際にフィールドメモリへの書き込み／読み出しの前後で圧縮／伸長特性が一致しないフィールドを生じる場合が有り、これに起因して映像に乱れを生じるといった不具合がある。
【００１１】
本発明は上記事情によりなされたもので、その目的は、映像に乱れを生じることなく表示モードを切り替えることの可能な映像信号処理装置、映像信号生成装置、映像表示装置、および映像信号処理方法を提供することにある。
【００１２】
【課題を解決するための手段】
上記目的を達成するために本発明に係わる映像信号処理装置は、入力映像信号を形成する画像要素（例えばフィールドまたはフレームなど）を切り替え可能な圧縮特性のもとで圧縮する圧縮手段（例えば圧縮フィルタ１０２）と、この圧縮手段により圧縮された前記画像要素を記憶するための記憶手段（例えばメモリ１０４，１０５）と、前記圧縮手段により圧縮された前記画像要素を入力同期信号に同期する書き込みタイミングで前記記憶手段に書き込む書き込み手段（例えば書き込み制御部１０３）と、前記入力同期信号および出力同期信号に基づき前記記憶手段から読み出すべき画像要素を決定する決定手段（例えば出力同期処理部１１１）と、この決定手段により決定された画像要素を前記出力同期信号に同期する読み出しタイミングで前記記憶手段から読み出す読み出し手段（例えば読み出し制御部１０６）と、この読み出し手段により前記記憶手段から読み出される画像要素を切り替え可能な伸長特性のもとで伸長して出力映像信号を生成する伸長手段（例えば伸長フィルタ１０７）と、前記出力映像信号の表示モードに応じて前記圧縮特性および伸長特性を切り替える切替手段（例えば設定切り替え制御部１１２）と、前記圧縮特性と伸長特性とが前記画像要素ごとに整合すべく、前記切替手段による前記伸長特性の切り替えタイミングを、当該切替手段による前記圧縮特性の切り替えタイミングと、前記書き込みタイミングと、前記読み出しタイミングとに応じて適応的に可変する特性切替制御手段（例えば設定切り替え制御部１１２）とを具備することを特徴とする。
【００１３】
このような手段を講じることにより、記憶手段を介して入力映像信号と出力映像信号との間での垂直周波数を変換することができる。この処理の実行中に、例えばリモコン操作などにより映像の表示モードが切り替えられると、これに応じて圧縮特性と伸長特性とが切り替えられる。その際、圧縮手段において切り替えられた圧縮特性に伸長特性が整合するように、伸長手段における伸長特性の切り替えタイミングが適応的に制御される。
【００１４】
従って、圧縮特性の切り替えタイミングと伸長特性の切り替えタイミングとを表示器の画面上において画像要素ごとに同期させることができる。これにより、表示モードを切り替えた場合に圧縮／伸長特性が一致しないフィールドを生じることを防ぐことができ、従って映像の乱れを防止することが可能になる。
【００１５】
【発明の実施の形態】
以下、図面を参照して本発明の実施の形態を詳細に説明する。
図１は、本発明に係わる映像表示装置の実施の形態を示す模式図である。図１の映像表示装置１０００は例えばパネルディスプレイとして実現される。この映像表示装置１０００は複数の表示モードを備え、表示モードを切り替えることにより形式の種々に異なる映像信号に基づく映像を表示部２１５に表示する。映像信号はアンテナ４を介して内部のチューナ（図示せず）により復調されるか、または接続されるＤＶＤ（Ｄｉｇｉｔａｌ  Ｖｅｒｓａｔｉｌｅ  Ｄｉｓｋ）装置３において記録媒体を再生することにより提供される。また映像表示装置１０００は赤外線受光部１を備え、リモコン端末２を介したユーザの種々の操作要求を受け付けることができる。操作要求には例えば表示モードの切替操作などが有る。
【００１６】
（第１の実施形態）
図２は、本発明の第１の実施形態に関わる映像信号処理装置の実施の形態を示す機能ブロック図である。この映像信号処理装置は図１の映像表示装置１０００に備えられる。図２において、入力映像信号は端子１０１を介してまず圧縮フィルタ１０２に入力される。圧縮フィルタ１０２は、フィルタ処理により入力映像信号をフィールドごとに所定の圧縮特性で圧縮し、圧縮データを生成する。生成された圧縮データは書き込み制御部１０３に入力される。
【００１７】
書き込み制御部１０３は圧縮フィルタ１０２から出力される圧縮データを、入力同期処理部１１０から与えられる制御信号に応じてメモリ１０４またはメモリ１０５のいずれかに書き込む。すなわち書き込み制御部１０３は入力同期信号に同期して、フィールドごとの圧縮データをメモリ１０４またはメモリ１０５に交互に書き込む。なお入力同期処理部１１０において入力同期信号に応じて生成される制御信号は出力同期処理部１１１、設定切り替え制御部１１２にも与えられる。
【００１８】
各メモリ１０４，１０５に記憶された圧縮データは読み出し制御部１０６により一定の読み出しタイミングのもとで読み出され、伸長フィルタ１０７に入力される。伸長フィルタ１０７は、読み出された圧縮データをフィルタ処理により所定の伸長特性で伸長する。これにより、入力映像信号と異なる垂直同期信号を持つ出力映像信号が、上記読み出しタイミングに応じて生成される。この出力映像信号は出力端子１０８から出力され、パネルディスプレイ装置などにおいて表示される。
【００１９】
ところで、圧縮データをメモリ１０４，１０５のいずれから読み出すかという指示は出力同期処理部１１１により与えられる。出力同期処理部１１１には、圧縮データのそれぞれがメモリ１０４，１０５のどちらに書き込まれたかという情報と、入力同期信号とが与えられる。出力同期処理部１１１は、これらの情報および信号に基づいて、読み出すべき圧縮データを決定する。そして、メモリ１０４，１０５のいずれかの識別子と、当該メモリのアドレスとを指定することにより、読み出し制御部１０６に対して読み出すべき圧縮データを指定する。
【００２０】
また出力同期処理部１１１は、映像の表示モードに応じた出力同期信号を生成する。出力同期信号は端子１１３を介してパネルディスプレイ装置などに供給される。
【００２１】
さらに出力同期処理部１１１は入力同期信号と出力同期信号との関係に基づいて読み出しタイミングを生成し、これを設定切り替え制御部１１２および読み出し制御部１０６に与える。
【００２２】
設定切り替え制御部１１２には、図示しないＣＰＵ（Ｃｅｎｔｒａｌ  Ｐｒｏｃｅｓｓｉｎｇ  Ｕｎｉｔ）などから、表示モードの切り替えタイミングが通知される。すなわちユーザにより図１のリモコン端末２を介して表示モードの切替要求が発出されると、ＣＰＵはその旨を認識し、表示モードの切替の契機を示す制御信号を設定切り替え制御部１１２に与える。これにより設定切り替え制御部１１２には、出力のフィールドの切り替わりタイミングを示す情報と、圧縮データがメモリ１０４とメモリ１０５のどちらから読み出されているかを示す情報とが通知される。
【００２３】
このような情報をもとに設定切り替え制御部１１２は、圧縮フィルタ１０２の特性の設定と、伸長フィルタ１０７の特性の設定とをそれぞれ個別に、かつ適応的に設定されたタイミングで切り替える。次に、映像信号の垂直同期信号を変換する処理手順につき図３〜図５を参照して説明する。
【００２４】
図３は、図２のメモリ１０４，１０５に関する読み出し／書き込みの様子を、入力映像信号のフィールド周波数と出力映像信号のフィールド周波数とが同じ場合につき時系列的に示す模式図である。なおフィールド周波数は同期信号とほぼ同じ意味を持つ。図３において横方向に時間の経過を示す。
【００２５】
図３（ａ）は入力映像信号を模式するもので、各数字はフィールドを示す。図３（ｂ）はフィールドを圧縮した圧縮データを書き込むメモリを示し、「Ａ」に示されるフィールド（奇数フィールド）を圧縮した圧縮データはメモリ１０４に書き込まれ、「Ｂ」に示されるフィールド（偶数フィールド）を圧縮した圧縮データはメモリ１０５に書き込まれる。
【００２６】
図３（ｄ）は圧縮データを読み出すメモリを示し、「Ａ」フィールドはメモリ１０４から読み出され、「Ｂ」フィールドはメモリ１０５から読み出される。その結果、メモリから読み出される信号は図３（ｃ）に示す状態となる。すなわち入力と出力のフィールド周波数が同じであることから、入力されたフィールドの全てが１フィールドに相当する期間だけ遅延して出力されることになる。
【００２７】
図４は、図２のメモリ１０４，１０５に関する読み出し／書き込みの様子を、入力映像信号のフィールド周波数が出力映像信号のフィールド周波数よりも高い場合につき時系列的に示す模式図である。図４においては圧縮データの書き込み周期がその読み出し周期よりも早いので、同じメモリで書き込みが読み出しを追い越すことのないように、読み出し処理を制御する必要がある。よって、時間的に連続して同じメモリから圧縮データが読み出される場合が生じている。これにより、メモリから読み出される信号のフィールドは図４（ｃ）に示す状態となる。すなわち書き込み側のフィールド周波数のほうが高いので、いくつかのフィールドがスキップされて出力される。
【００２８】
図５は、図２のメモリ１０４，１０５に関する読み出し／書き込みの様子を、入力映像信号のフィールド周波数が出力映像信号のフィールド周波数よりも低い場合につき時系列的に示す模式図である。図５においては圧縮データの書き込み周期がその読み出し周期よりも遅いので、同じメモリで読み出しが書き込みを追い越すことのないように、読み出し処理を制御する必要がある。よって、同じメモリから同じフィールドが連続して読み出される場合が生じている。これにより、メモリから読み出される信号のフィールドは図５（ｃ）に示す状態となる。すなわち読み出し側のフィールド周波数のほうが高いので、時間的に重複して読み出されるフィールドが生じている。
【００２９】
このように、圧縮データをメモリ１０４，１０５のいずれから読み出すかは、入力の垂直同期信号と出力の垂直同期信号との関係と、各フィールドに対応する圧縮データがいずれのメモリに書き込まれたかという情報とから、出力同期処理部１１１により決定される。その結果、圧縮データは各メモリ１０４，１０５から必ずしも交互に読み出されず、一方のメモリから連続して読み出し処理が行われる場合も生じる。
【００３０】
以上の処理により映像信号の垂直同期信号を変換することができる。なおこの種の処理は既知であり、例えば上記特許文献１に記載されている。本実施形態では、この処理に映像のサイズを変換する処理を組み合わせ、しかも表示モードに応じて映像サイズを切り替える処理を、映像を乱すことなく実現する手法を開示する。
【００３１】
図６は、図２の構成における処理手順を示すフローチャートである。図６において、リモコン端末２を介して表示モードの切替が要求された旨がＣＰＵなどにより認識されたとする（ステップＳ１のＹｅｓ）。そうすると、まず書き込み側フィールドの切り替わりタイミングまで処理が待機される（ステップＳ２）。すなわち表示モードの切替に伴う圧縮特性の切替は、書き込み側のフィールドの区切りタイミングにおいて実施される。
【００３２】
この区切りタイミングに達すると（ステップＳ２のＹｅｓ）、設定切り替え制御部１１２は、圧縮フィルタ１０２の圧縮特性の設定を要求された表示モードに応じて切り替える（ステップＳ３）。次に設定切り替え制御部１１２は、次に開始されるフィールドの圧縮データを書き込むメモリ領域のアドレスを記憶する（ステップＳ４）。そして、読み出し側フィールド側の切り替わりタイミングまで処理が待機される（ステップＳ５）。すなわち表示モードの切替に伴う伸長特性の切替は、読み出し側のフィールドの区切りタイミングにおいて実施される。
【００３３】
この区切りタイミングに達すると（ステップＳ５のＹｅｓ）、出力同期処理部１１１は、書き込み側（すなわち入力側）の垂直同期信号と読み出し側（すなわち出力側）の垂直同期信号との関係と、現時点で書き込み処理のなされているメモリ領域とから、次に開始されるフィールドの圧縮データを読み出すべきメモリとその領域を決定する（ステップＳ６）。
【００３４】
次に設定切り替え制御部１１２は、ステップＳ６で決定されたメモリ領域がステップＳ４において記憶されたメモリ領域であるか否かを検証する（ステップＳ７）。このステップでＹｅｓであれば処理手順はそのまま次のステップに移行し、設定切り替え制御部１１２は要求された表示モードに応じて、伸長フィルタ１０７の圧縮特性の設定を読み出し側のフィールド区切りタイミングにおいて切り替える（ステップＳ１０）。
【００３５】
一方、ステップＳ７でＮｏであれば、設定切り替え制御部１１２は、書き込み側の垂直周波数と読み出し側の垂直周波数とを比較する（ステップＳ８）。書き込み側の垂直周波数が読み出し側の垂直周波数よりも低ければ（ステップＳ８でＮｏ）処理手順はステップＳ７に戻り、ループが形成される。書き込み側の垂直周波数が読み出し側の垂直周波数よりも高ければ（ステップＳ８でＮｏ）処理手順は次のステップに移り、設定切り替え制御部１１２はステップＳ６で決定されたメモリ領域が、ステップＳ４において記憶されたメモリ領域以降に書き込みがなされたものであるか否かを検証する（ステップＳ９）。このステップでＮｏであれば処理手順はステップＳ７に戻り、ループが形成される。ステップＳ９においてＹｅｓであれば処理手順はステップＳ１０に移行し、伸長フィルタ１０７の圧縮特性の設定が切り替えられる。
【００３６】
このような処理により、伸長フィルタ１０７の伸長特性の設定の切り替えタイミングが、圧縮フィルタ１０２の圧縮特性の設定の切り替えタイミングと、メモリ１０４，１０５への圧縮データの書き込みタイミングと、メモリ１０４，１０５からの圧縮データの読み出しタイミングとに応じて適応的に可変される。このことを図３〜図５を参照して説明する。
【００３７】
図３（ａ）において、例えば入力映像信号フィールド「３」の書き込み期間において表示モードの切替要求が与えられたとする。このタイミングを（Ｔ１）とする。そうすると、フィールド「４」の開始タイミングにおいて圧縮フィルタ１０２の圧縮特性の設定が切り替えられる。この切り替えタイミングを（Ｔ２）とする。そして、伸長フィルタ１０７の伸長特性の切り替えタイミングは、図３（ｃ）における出力映像フィールド「４」の開始タイミングとなる。この切り替えタイミングを（Ｔ３）とする。
【００３８】
次に、図４（ａ）において、フィールド「５」の書き込み期間の（Ｔ１）において表示モードの切替要求が与えられたとする。するとフィールド「６」の開始タイミングが（Ｔ２）となる。（Ｔ３）は、図４（ｃ）のフィールド「７」の開始タイミングとなる。
【００３９】
さらに、図５（ａ）において、フィールド「５」の書き込み期間の（Ｔ１）において表示モードの切替要求が与えられたとする。するとフィールド「６」の開始タイミングが（Ｔ２）となる。
ここで従来であれば、（Ｔ３）は、図５（ｃ）の２つ目のフィールド「５」の開始タイミングとなる。このことは、図５（ａ）のフィールド「５」の圧縮特性と図５（ｃ）の２つ目のフィールド「５」の伸長特性とが整合しなくなることを意味する。図５（ａ）のフィールド「５」においては圧縮特性が切り替えられていないからである。
【００４０】
これに対し本実施形態では、図６の手順を経ることにより、（Ｔ３）は図５（ｃ）のフィールド「６」の開始時点に適応的に可変される。すなわち表示モード切替が如何なるタイミングで要求されたとしても、伸長フィルタ１０７における伸長特性の設定の切り替えタイミングが適応的に可変制御されるようになる。これにより、メモリの書き込み側の処理の設定の切り替えとメモリの読み出し側の処理の設定の切り替えとを、信号の同じ部分で行うことができるようになる。すなわち圧縮特性の切り替えタイミングと伸長特性の切り替えタイミングとを、表示器の画面上における画像要素ごとに同期させることができる。
【００４１】
以上をまとめると本実施形態では、メモリ１０４，１０５にフィールドの圧縮データを記憶し、その書き込みタイミングと読み出しタイミングとを入力同期信号および出力同期信号に応じて可変することで映像信号の垂直周波数を切り替える信号処理装置において、圧縮フィルタ１０２の圧縮特性の切り替えタイミングと、圧縮データのメモリ１０４，１０５への書き込みタイミングと、メモリ１０４，１０５からの読み出しタイミングとに応じて、伸長フィルタ１０７の伸長特性の切り替えタイミングを適応的に可変設定するようにしている。
【００４２】
これにより各フィールドごとの圧縮特性と伸長特性とを互いに完全に整合させることができ、従って表示モードを切り替えた場合に圧縮／伸長特性が一致しないフィールドを生じないようにして映像の乱れを防止することが可能になる。
【００４３】
（第２の実施形態）
図７は、本発明の第２の実施形態に係わる映像表示装置１０００を示す機能ブロック図である。なお図７において図２と共通する部分には同一の符号を付して示し、ここでは異なる部分についてのみ説明する。
図７において、入力端子２０１にはアンテナ４において受信された電波が入力される。入力端子２０１に入力された信号は、チューナ２０２および復調回路２０３を介して映像信号としてセレクタ２０４に入力される。セレクタ２０４には、入力端子２０５からの信号も入力される。入力端子２０５にはＤＶＤ装置３から出力される映像信号などが入力される。セレクタ２０４はこれらの信号のいずれかを選択的に出力する。
【００４４】
セレクタ２０４から出力される映像信号は、Ｙ／Ｃ分離部２０６に入力される。Ｙ／Ｃ分離部２０６は入力された映像信号を輝度成分と色成分とに分離する。ただし入力される映像信号が輝度成分と色成分とに分離されたものであれば分離処理の必要はない。Ｙ／Ｃ分離部２０６の出力は色復調部２０７に入力され、色信号が復調される。入力された色成分が復調されたものである場合には、復調処理の必要はない。色復調部２０７の出力は順次走査変換部２０８に入力される。順次走査変換部２０８は、入力された信号が飛び越し走査信号の場合には順次走査信号に変換する。入力された信号が順次走査信号の場合には変換の必要はない。
【００４５】
順次走査変換部２０８の出力は、信号処理部３０００の圧縮フィルタ１０２に入力され、伸長フィルタ１０７を経てサイズ変換されて出力される。伸長フィルタ１０７の出力は画質調整部２１４に入力される。画質調整部２１４は各種の画質調整の処理や、表示装置の入力フォーマットのＲＧＢ信号への変換などが行われる。画質調整部２１４の出力は表示部２１５に入力され、画像として表示される。
【００４６】
一方、セレクタ２０４から出力された映像信号は、Ｙ／Ｃ分離部２０６および同期分離部２１６に入力される。同期分離部２１６は映像信号から水平同期信号および垂直同期信号を分離し、信号処理部３０００の入力同期処理部１１０に入力する。
【００４７】
上記構成において、信号処理部３０００は図２と同様である。信号処理部３０００に、映像信号の書き込み側にある入力端子２０１、チューナ２０２、復調回路２０３、セレクタ２０４、入力端子２０５、Ｙ／Ｃ分離部２０６、２０７色復調部、順次走査変換部２０８、同期分離部２１６、および信号の読み出し側にある画質調整部２１４を加えた構成は、セットトップボックス２０００として実現される。さらに、セットトップボックス２０００に表示部２１５を追加することで、映像表示装置１０００が実現される。
【００４８】
ところで、上記構成における設定切り替え制御部１１２は、各種処理の設定の切り替えを行う。すなわち設定切り替え制御部１１２は、書き込み側設定切り替え信号と読み出し側設定切り替え信号とを出力する。書き込み側設定切り替え信号は、メモリ部２１１の書き込み側にある処理の設定の切り替え制御を行う。すなわち書き込み側設定切り替え信号により、チューナ２０２、復調回路２０３、セレクタ２０４、Ｙ／Ｃ分離部２０６、色復調部２０７、順次走査変換部２０８、圧縮フィルタ１０２、書き込み制御部１０３などの処理の設定が切り替えられる。これらメモリの書き込み側にある処理の設定の切り替えは、入力のフィールドの切り替わり時に行う。
【００４９】
一方、読み出し側設定切り替え信号は、メモリ部２１１の読み出し側にある読み出し制御部１０６、伸長フィルタ１０７、画質調整部２１４、表示部２１５などの処理の設定の切り替えを行う。メモリの読み出し側にある処理の設定の切り替えは、出力のフィールドの切り替わり時に行う。
【００５０】
設定切り替え制御部１１２の具体的な動作は、第１の実施形態および図６のフローチャートと同様である。本実施例によれば、第１の実施形態と同様のタイミングで、圧縮フィルタ１０２、伸長フィルタ１０７の特性だけでなく、信号の書き込み側にあるチューナ２０２、復調回路２０３、セレクタ２０４、Ｙ／Ｃ分離部２０６、色復調部２０７、順次走査変換部２０８、圧縮フィルタ１０２、書き込み制御部１０３、および、読み出し側にある画質調整部２１４、表示部２１５の設定をも切り替えることができる。すなわち表示モードを切り替える際には、圧縮フィルタ１０７、伸長フィルタ１０７の特性だけでなく、他のデバイスの設定をも切り替える必要があることが多い。本実施形態においてはこのような要求にも応えることが可能になる。
【００５１】
なお、本発明は上記実施の形態に限定されるものではない。例えば図２には２つのメモリ１０４，１０５を表記しているが、これらを共通のメモリに設けられる２つの記憶領域としても良い。また、メモリの個数は２個に限らず、図８、図９に示されるように多数のメモリにフィールドを順次振り分けて記憶させるようにしても良い。
【００５２】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５３】
【発明の効果】
以上詳しく述べたように本発明によれば、映像に乱れを生じることなく表示モードを切り替えることの可能な映像信号処理装置、映像信号生成装置、映像表示装置、および映像信号処理方法を提供することができる。
【図面の簡単な説明】
【図１】本発明に係わる映像表示装置の実施の形態を示す模式図。
【図２】本発明の第１の実施形態に関わる映像信号処理装置の実施の形態を示す機能ブロック図。
【図３】図２のメモリ１０４，１０５に関する読み出し／書き込みの様子を、入力映像信号のフィールド周波数と出力映像信号のフィールド周波数とが同じ場合につき時系列的に示す模式図。
【図４】図２のメモリ１０４，１０５に関する読み出し／書き込みの様子を、入力映像信号のフィールド周波数が出力映像信号のフィールド周波数よりも高い場合につき時系列的に示す模式図。
【図５】図２のメモリ１０４，１０５に関する読み出し／書き込みの様子を、入力映像信号のフィールド周波数が出力映像信号のフィールド周波数よりも低い場合につき時系列的に示す模式図。
【図６】図２の映像信号処理装置における処理手順を示すフローチャート。
【図７】本発明の第２の実施形態に係わる映像表示装置を示す機能ブロック図。
【図８】図７のメモリ部２１１の別の構成例を示すブロック図。
【図９】図７のメモリ部２１１の他の構成例を示すブロック図。
【符号の説明】
１…赤外線受光部、２…リモコン端末、３…ＤＶＤ装置、４…アンテナ、１０１…端子、１０２…圧縮フィルタ、１０３…書き込み制御部、１０４，１０５，２１７，２１８…メモリ、１０６…読み出し制御部、１０７…伸長フィルタ、１０８…出力端子、１１０…入力同期処理部、１１１…出力同期処理部、１１２…設定切り替え制御部、１１３…端子、２０１…入力端子、２０２…チューナ、２０３…復調回路、２０４…セレクタ、２０５…入力端子、２０６…Ｙ／Ｃ分離部、２０７…色復調部、２０８…順次走査変換部、２１１…メモリ部、２１４…画質調整部、２１５…表示部、２１６…同期分離部、１０００…映像表示装置、２０００…セットトップボックス、３０００…信号処理部
【図１】
2004357028.tif 000003
【図２】
2004357028.tif 000004
【図３】
2004357028.tif 000005
【図４】
2004357028.tif 000006
【図５】
2004357028.tif 000007
【図６】
2004357028.tif 000008
【図７】
2004357028.tif 000009
【図８】
2004357028.tif 000010
【図９】
2004357028.tif 000011